(57)【要約】【課題】  比較的小さな押圧力によってスタッドボルトにスライド外嵌可能であり、スライド外嵌過程の後比較的大きな回転モーメントを回転固定のため及ぼしうるようにする。【解決手段】  スタッドボルト（３３）を介して差込装着し、係合するための係合ユニットが、内側部材（１）と、該内側部材（１）の上にスライド外嵌可能な外側部材（２）とを有する。内側部材（１）と外側部材（２）にはトルク吸収手段（８、９、２３、２４）が形成されており、これにより外側部材（2）に及ぼされるトルクが内側部材（１）に伝達される。これにより本発明の係合ユニットは、内側部材（１）がスタッドボルト（３３）にスライド外嵌された後の取付け前の配置構成では、内側部材１（１）の弾性アームに形成され、スタッドボルト（３３）と共同作用する係止手段が、スタッドボルト（３３）に沿ってスライドすることができ、スタッドボルト（３３）に沿ってスライド可能であり、外側部材（２）が内側部材（１）にスライド外嵌された後では、ネジの形式で締め付けることができる。
2011509382.tif 000002
【特許請求の範囲】
【請求項１】
スタッドボルト（３３）を介してスライド装着し、係合するための係合ユニットであって、
該スタッドボルト（３３）を介して係合するための係止手段（３０、３１）が形成されている弾性アームを備える形式の係合ユニットにおいて、
内側部材（１）と、該内側部材（１）上にスライド外嵌可能な外側部材（２）とが設けられており、
前記弾性アーム（１５、１６）が前記内側部材（１）に形成されており、前記外側部材（２）が前記内側部材（１）にスライド外嵌された最終取付け配置構成では、前記外側部材（２）の弾性アーム収容部（２７、２８）によって半径方向で外方への運動が阻止されており、
前記内側部材（１）と前記外側部材（２）にはトルク吸収手段（９、１０、２３、２４）が形成されており、
該トルク吸収手段は、前記外側部材（２）が前記内側部材（１）にスライド外嵌された最終取付け配置構成では、前記外側部材（２）を回動不能に接続するために前記内側部材（１）と相互に係合しており、
前記外側部材（２）には、トルクを及ぼす工具を装着するように構成された装着ヘッド（１８）が形成されている、ことを特徴とする係合ユニット。
【請求項２】
請求項１記載の係合ユニットにおいて、
前記トルク吸収手段は、前記内側部材（１）に形成され、外側に突き出た縁部ブロック（９、１０）と、前記縁部ブロック（９、１０）に対して相補的に前記外側部材（２）に形成された縁部ブロック収容部（２３、２４）とによって構成されている係合ユニット。
【請求項３】
請求項１または２記載の係合ユニットにおいて、
前記内側部材（１）は、長手方向に挿入方向とは反対に作用する予圧手段（５、６）を有する係合ユニット。
【請求項４】
請求項３記載の係合ユニットにおいて、
前記プリロード手段は、前記内側部材（１）から外側を指す予圧舌片（５、６）により形成されている係合ユニット。
【請求項５】
請求項１から４までのいずれか一項記載の係合において、
前記内側部材（１）と前記外側部材（２）には係止機構（１１から１４、１９から２２）が形成されており、
該係止機構は、前記内側部材（２）にスライド外嵌された最終取付け配置構成では、軸方向にネジ解除の方向とは反対方向に前記外側部材（２）を固定する係合ユニット。
【請求項６】
請求項５記載の係合ユニットにおいて、
前記係止機構は、前記内側部材（１）に形成された係止爪部（１１、１２、１３、１４）と、前記外側部材（２）に形成された係止切欠部（１９、２０、２１、２２）とを有し、該係止切欠部に前記係止爪部（１１、１２、１３、１４）が最終取付け配置構成で係合する係合ユニット。
【請求項７】
請求項６記載の係合ユニットにおいて、
前記係止切欠部（１９、２０、２１、２２）は外に向かって開放しており、前記係止爪部（１１、１２、１３、１４）は外からアクセスでき、これにより前記係止切欠部（１９、２０、２１、２２）との係合を解除することができる係合ユニット。
【請求項８】
請求項７記載の係合ユニットにおいて、
前記外側部材（２）は外側スリーブ（１７）を有しており、該外側スリーブ内には前記係止切欠部（１９、２０、２１、２２）が形成されている係合ユニット。
【発明の詳細な説明】
【技術分野】
【０００１】
本発明は、請求項１の上位概念（前置部）による、スタッドボルト（Gewindebolzen）を介してスライド装着（ないし差込外嵌  Aufstecken）・係合するための係合ユニットに関する。
【背景技術】
【０００２】
この種の係合ユニットは、特許文献１から公知である。公知の係合ユニットには複数の弾性アームが装備されており、これらの弾性アームにはスタッドボルトを介して係合するための係止手段が形成されている。これによって係合ユニットは、簡単な形式とやり方でスタッドボルトにスライド外嵌される。
【先行技術文献】
【特許文献】
【０００３】
【特許文献１】独国特許第３５２５８６５号
【発明の概要】
【発明が解決しようとする課題】
【０００４】
本発明の基礎とする課題は、冒頭の述べた形式の係合ユニットにおいて、比較的小さな挿入力によってスタッドボルトにスライド外嵌（aufschieben）可能であり、スライド外嵌過程の終了後に比較的大きなトルクをさらなる回転固定のために加えることができるように構成することである。
【課題を解決するための手段】
【０００５】
この課題は冒頭に述べた形式の係合ユニットにおいて、請求項１の特徴部分の構成によって解決される。
【発明を実施するための最良の形態】
【０００６】
本発明の係合ユニットにおいて、内側部材と、この内側部材上にスライド外嵌可能な外側部材とが設けられており、内側部材に外側部材がスライド外嵌された配置構成では、内側部材に形成された弾性アームが半径方向外方への逃げ（回避）に対して阻止され、外側部材に及ぼされる比較的大きなトルクが確実に内側部材に伝達されるように前記内側部材と外側部材とは相互に適合されており、これによって内側部材が第１のステップで比較的小さなスライド押圧によってスタッドボルトにスライド外嵌され、外側部材が内側部材にスライド嵌着された後、今や（逃げを）阻止された弾性アームによりトルクが内側部材へ、ネジの場合のように、係合ユニットの締め付けのために伝達される。
【０００７】
本発明のさらなる有利な実施形態は従属請求項の対象である。
【０００８】
本発明のさらなる有利な構成および利点は、図面を参照した実施例の以下の説明の対象である。
【図面の簡単な説明】
【０００９】
【図１】内側部材と外側部材を備える本発明の係合ユニットの実施例の斜視図であり、内側部材と外側部材とは取付け前の配置構成にあり、長手方向に相互に間隔をおいて配置され、かつ相互に結合されている。
【図２】取付け前の配置構成にある図１の実施例の縦断面図である。
【図３】スタッドボルト上で最終取付け配置構成にある、図１と図２の実施例の縦断面図である。
【図４】図３の最終取付け配置構成にある、図１から図３の実施例の断面斜視図である。
【実施例】
【００１０】
図１は、内側部材１と外側部材２とを有する本発明の係合ユニットの実施例の斜視図である。
【００１１】
内側部材１にはディスク状の丸い載置皿３が装備されている。この載置皿は中央に配置された導入切欠部４を、図１には図示されていないスタッドボルトを導入するために有する。さらに載置皿３には有利には、しかし必須ではないが直径方向に相互に対向する予圧舌片５、６が形成されている。この予圧舌片は周方向に伸長しており、図１に示した緩和された（自由状態の）配置構成では軸方向に、図１で観察者に向いた側の載置皿３の下面を越えて突き出ている。
【００１２】
さらに内側部材１は２つの内側体７、８により形成されている。これらの内側体は、一緒になって周りを囲む基本形態においてシリンダ状の形状であり、載置皿３よりも小さな直径を有する。そしてこれらの内側体は、予圧舌片５、６とは反対の方向に載置皿３から離れるように伸長している。内側体７、８の外周は載置皿３の外周よりも小さい。
【００１３】
各内側体７、８には直方体の縁部ブロック９、１０が成形されている。これらの縁部ブロックは相互に直径方向に対向しており、その長手側は内側部材１の長手方向に伸長していると共に、縁部ブロックは載置皿３から間隔をおいて配置されている。載置皿３に向いた側の縁部ブロック９、１０の端部と、載置皿３との間には、相互に対向する一対の係止ホック１１、１２、１３、１４が形成されている。この係止ホック（爪部）１１、１２、１３、１４は外側に向いており、周方向に対して直角に延在する縁部ブロック９、１０の平坦面（側面）を越えて突き出ている。
【００１４】
さらに内側部材１は、図示の実施例で相互に直径方向に対向する２つの弾性（可撓性）アーム（拡開可能アーム）１５、１６を有する。これらの弾性アームはそれぞれ、内側体７、８の間にある縁部ブロック９、１０のほぼ中央に配置されている。図示しない実施例では、２つ以上の弾性アーム１５、１６を設けることもできる。
【００１５】
外側部材２はディスク状の外側スリーブ１７と、この外側スリーブ１７に成形された装着ヘッド（ショルダ付多角形ヘッド）１８とを有する。この装着ヘッドはトルクを伝達するためのものであり、通常の工具により係合できるよう、例えば図１に示すように六角ボルトとして、または他の幾何形状に構成されている。外側スリーブ１７には、相互に対向する一対の係止切欠部１９、２０、２１、２２が形成されている。これらの係止切欠部は相互に対をなして、同一平面（面一）で外側スリーブ１７を通って伸長しており、それぞれ係止ホック１１、１２、１３、１４により係合されるよう構成されている。
【００１６】
さらに図１から外側部材２には一方では、周方向に寸法どおりに各縁部ブロック９、１０を収容するための縁部ブロック収容部２３、２４と、各内側体７、８を収容するための内側体収容部２５、２６と、半径方向かつ周方向に寸法どおりに弾性アーム１５、１６を収容するための弾性アーム収容部２７、２８が構成されていることが分かる。
【００１７】
図２は、図１の実施例を縦断面で示す図である。ここでの断面は弾性アーム１５、１６の中央を示す。図２から弾性アーム１５、１６がそれぞれ、弾性アームの他の領域よりも材料厚が小さく、載置皿３の近傍にあるバネ部分２９によって、半径方向に弾性（可撓性）に構成されていることが分かる。各弾性アーム１５、１６は係止手段として係止ノーズ３０、３１を有する。これらの係止ノーズは半径方向で内側へ、内側体７、８と弾性アーム１５、１６により包囲されたスタッドボルト収容空間３２に突入（突出）している。図示しない実施例では各弾性アーム１５、１６は係止手段として２つ以上の係止ノーズ３０、３１を有する。
【００１８】
さらに図２から、図１と図２に示された取付（組付）け前の配置構成で内側部材１と外側部材２とは、軸方向に相互に間隔をおいて配置されていることが分かる。例えば内側部材１と外側部材２とは、図１と図２に図示しない少なくとも１つの接続部を介して相互に接続するか、または２つの個別の部材として予組付けすることができる。この接続部は押込力に対して比較的抵抗が小さいものとする。縁部ブロック収容部２３、２４、内側体収容部２５、２６、および弾性アーム収容部２７、２８は、図１と図２の実施例では長手方向に完全に外側部材２を通って伸長している。これにより外側部材２は、接続部が場合により破壊された後、長手方向に内側部材１に対して、外側部材２が載置皿３に当接するまでスライド可能となる。
【００１９】
図３は、弾性アーム１５、１６のある面での縦断面において、図１と図２の実施例に示し、最終取付け配置構成において、支持部材３４に固定されたスタッドボルト３３と係合している。図３から、例えばスタッドボルト３３が貫通する支持部材３４に取付け部材３５を固定するために、半径方向に装着ヘッド（Aufsatzkopf）１８より突き出ている外側スリーブ１７に端面側が当接する押込・回転工具によって、図１と図２に示した取付け前の配置構成で内側部材１が押し込まれる場合、係止ノーズ３０、３１がスタッドボルト３３と接触して、スタッドボルト３３に形成された外ねじ構造３６が（係止ノーズ３０，３１を）乗り越え、その際弾性アーム１５、１６が外に向かって弾性的に変形し、最終的に載置皿３が最終的に取付け部材３５に当接することが分かる。このときに予圧舌片５、６は、所定の予圧力により、係止ノーズ３０、３１が外ねじ構造３６を後方から把持する位置に内側部材１を保持することによって高さ調整を行う。
【００２０】
本発明の係合ユニットのこの押し込まれた配置構成では、外側部材２が図１と図２に示した取付け前の配置構成から出発して内側部材１に長手方向で、外側スリーブ１７が載置皿３に当接するまで押し込まれる。最終取付け配置構成では、図３に示すように、半径方向で外側を指す弾性アーム収容部２７、２８の壁に当接し、半径方向外方に変位しないように確保することによって、また周方向に関し弾性アーム１、１６の横（周方向側部）にある弾性アーム収容部２７、２８の端部に当接することによって、弾性アーム１５、１６が確保される。これにより係止ノーズ３０、３１が外ねじ構造３６と確実に係合し、大きな引っ張り力を保証する。
【００２１】
図４は、図１から図３の本発明の係合ユニットの実施例が図３の最終取付け配置構成にある様子を、縁部ブロック９を縦断面にして斜視図に示す。ここでの断面は、縁部ブロック９の半径方向外方を指す平坦面と平行であり、この縁部ブロック９と載置皿３との間に配置された係止ホック（爪部）１１、１２を通っている。図４から分かるように、係止ホック１１、１２は外から例えば長手の物体によってアクセスすることができる。これにより相応の力が係止ホック１１、１２に及ぼされると、係止ホック１１、１２、１３、１４と係止切欠部１９、２０、２１、２２との係合が解除され、載置皿３から離れる運動によって外側部材２を内側部材１から再び引き抜くことができる。
【００２２】
さらに図４から、縁部ブロック９、１０は周方向で外側にあるその両平坦面により、縁部ブロック収容部２３、２４の対向する平坦面に当接していることが分かる。これにより例えば工具の装着によりトルクが装着ヘッド１８に及ぼされると、縁部ブロック９、１０と外側部材２との係合を介してトルクが内側部材１に伝達され、本発明の係合ユニットをネジのように締めることができ、これにより取付け部材３５が、ある程度の押し付け力によって支持部材３４に固定される。さらに外ねじ構造３６のネジ方向に対して反対方向のトルクが及ぼされると、本発明の係合ユニットはナットのように保守時にねじ解除（ねじ外し）されることができ、これにより取付け部材３５を支持部材３４から取り外すことができる。適切には、このようにして外側部材２を上に述べたように内側部材１から除去すれば、本発明の係合ユニットを所定のように再使用することができる。
【符号の説明】
【００２３】
１  内側部材
２  外側部材
５，６  予圧手段（Vorspannungsmittel）、予圧舌片
９，１０  縁部ブロック
９，１０，２３，２４  トルク吸収部材
１１〜１４：１９〜２２  係止機構
１１〜１４  係止爪部（ホック）
１５，１６  弾性アーム（Federarm）
１９〜２２  係止切欠部
２３，２４  縁部ブロック収容部
１７  外側スリーブ
２７，２８  弾性アーム収容部
３０，３１  係止手段
３３  スタッドボルト（ねじ付ボルト、Gewindebolzen）
【図１】
2011509382.tif 000003
【図２】
2011509382.tif 000004
【図３】
2011509382.tif 000005
【図４】
2011509382.tif 000006
【手続補正書】
【提出日】平成22年9月8日(2010.9.8)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念（前置部）による、スタッドボルト（Gewindebolzen）を介してスライド装着（ないし差込外嵌  Aufstecken）・係合するための係合ユニットに関する。即ち、本発明は、スタッドボルトを介してスライド装着し、係合するための係合ユニットであって、該スタッドボルトを介して係合するための係止手段が形成されている弾性アームを備える形式の係合ユニットに関する。
【背景技術】
【０００２】
この種の係合ユニットは、特許文献１から公知である。公知の係合ユニットには複数の弾性アームが装備されており、これらの弾性アームにはスタッドボルトを介して係合するための係止手段が形成されている。これによって係合ユニットは、簡単な形式とやり方でスタッドボルトにスライド外嵌される。
【先行技術文献】
【特許文献】
【０００３】
【特許文献１】独国特許第３５２５８６５号
【発明の概要】
【発明が解決しようとする課題】
【０００４】
本発明の基礎とする課題は、冒頭の述べた形式の係合ユニットにおいて、比較的小さな挿入力によってスタッドボルトにスライド外嵌（aufschieben）可能であり、スライド外嵌過程の終了後に比較的大きなトルクをさらなる回転固定のために加えることができるように構成することである。
【課題を解決するための手段】
【０００５】
この課題は冒頭に述べた形式の係合ユニットにおいて、請求項１の特徴部分の構成によって解決される。即ち、本発明の一視点において、係合ユニットは、内側部材と、該内側部材上にスライド外嵌可能な外側部材とが設けられており、前記弾性アームが前記内側部材に形成されており、前記外側部材が前記内側部材にスライド外嵌された最終取付け配置構成では、前記外側部材の弾性アーム収容部によって半径方向で外方への運動が阻止されており、前記内側部材と前記外側部材にはトルク吸収手段が形成されており、該トルク吸収手段は、前記外側部材が前記内側部材にスライド外嵌された最終取付け配置構成では、前記外側部材を回動不能に接続するために前記内側部材と相互に係合しており、前記外側部材には、トルクを及ぼす工具を装着するように構成された装着ヘッドが形成されている、ことを特徴とする。（形態１＝基本形態）
なお、特許請求の範囲に付記した図面参照番号は専ら理解を助けるためのものであり、図示の態様に限定することを意図するものではない。
【発明を実施するための最良の形態】
【０００６】
本発明の係合ユニットにおいて、内側部材と、この内側部材上にスライド外嵌可能な外側部材とが設けられており、内側部材に外側部材がスライド外嵌された配置構成では、内側部材に形成された弾性アームが半径方向外方への逃げ（回避）に対して阻止され、外側部材に及ぼされる比較的大きなトルクが確実に内側部材に伝達されるように前記内側部材と外側部材とは相互に適合されており、これによって内側部材が第１のステップで比較的小さなスライド押圧によってスタッドボルトにスライド外嵌され、外側部材が内側部材にスライド嵌着された後、今や（逃げを）阻止された弾性アームによりトルクが内側部材へ、ネジの場合のように、係合ユニットの締め付けのために伝達される。
【０００７】
本発明のさらなる有利な実施形態は従属請求項の対象である。以下に有利な実施形態を示す。
前記トルク吸収手段は、前記内側部材に形成され、外側に突き出た縁部ブロックと、前記縁部ブロックに対して相補的に前記外側部材に形成された縁部ブロック収容部とによって構成されていることが好ましい（形態２）。
前記内側部材は、長手方向に挿入方向とは反対に作用する予圧手段を有することが好ましい（形態３）。
前記プリロード手段は、前記内側部材から外側を指す予圧舌片により形成されていることが好ましい（形態４）。
前記内側部材と前記外側部材には係止機構が形成されており、該係止機構は、前記内側部材にスライド外嵌された最終取付け配置構成では、軸方向にネジ解除の方向とは反対方向に前記外側部材を固定することが好ましい（形態５）。
前記係止機構は、前記内側部材に形成された係止爪部と、前記外側部材に形成された係止切欠部とを有し、該係止切欠部に前記係止爪部が最終取付け配置構成で係合することが好ましい（形態６）。
前記係止切欠部は外に向かって開放しており、前記係止爪部は外からアクセスでき、これにより前記係止切欠部との係合を解除することができることが好ましい（形態７）。
前記外側部材は外側スリーブを有しており、該外側スリーブ内には前記係止切欠部が形成されていることが好ましい（形態８）。
【０００８】
本発明のさらなる有利な構成および利点は、図面を参照した実施例の以下の説明の対象である。
【図面の簡単な説明】
【０００９】
【図１】内側部材と外側部材を備える本発明の係合ユニットの実施例の斜視図であり、内側部材と外側部材とは取付け前の配置構成にあり、長手方向に相互に間隔をおいて配置され、かつ相互に結合されている。
【図２】取付け前の配置構成にある図１の実施例の縦断面図である。
【図３】スタッドボルト上で最終取付け配置構成にある、図１と図２の実施例の縦断面図である。
【図４】図３の最終取付け配置構成にある、図１から図３の実施例の断面斜視図である。
【実施例】
【００１０】
図１は、内側部材１と外側部材２とを有する本発明の係合ユニットの実施例の斜視図である。
【００１１】
内側部材１にはディスク状の丸い載置皿３が装備されている。この載置皿は中央に配置された導入切欠部４を、図１には図示されていないスタッドボルトを導入するために有する。さらに載置皿３には有利には、しかし必須ではないが直径方向に相互に対向する予圧舌片５、６が形成されている。この予圧舌片は周方向に伸長しており、図１に示した緩和された（自由状態の）配置構成では軸方向に、図１で観察者に向いた側の載置皿３の下面を越えて突き出ている。
【００１２】
さらに内側部材１は２つの内側体７、８により形成されている。これらの内側体は、一緒になって周りを囲む基本形態においてシリンダ状の形状であり、載置皿３よりも小さな直径を有する。そしてこれらの内側体は、予圧舌片５、６とは反対の方向に載置皿３から離れるように伸長している。内側体７、８の外周は載置皿３の外周よりも小さい。
【００１３】
各内側体７、８には直方体の縁部ブロック９、１０が成形されている。これらの縁部ブロックは相互に直径方向に対向しており、その長手側は内側部材１の長手方向に伸長していると共に、縁部ブロックは載置皿３から間隔をおいて配置されている。載置皿３に向いた側の縁部ブロック９、１０の端部と、載置皿３との間には、相互に対向する一対の係止ホック１１、１２、１３、１４が形成されている。この係止ホック（爪部）１１、１２、１３、１４は外側に向いており、周方向に対して直角に延在する縁部ブロック９、１０の平坦面（側面）を越えて突き出ている。
【００１４】
さらに内側部材１は、図示の実施例で相互に直径方向に対向する２つの弾性（可撓性）アーム（拡開可能アーム）１５、１６を有する。これらの弾性アームはそれぞれ、内側体７、８の間にある縁部ブロック９、１０のほぼ中央に配置されている。図示しない実施例では、２つ以上の弾性アーム１５、１６を設けることもできる。
【００１５】
外側部材２はディスク状の外側スリーブ１７と、この外側スリーブ１７に成形された装着ヘッド（ショルダ付多角形ヘッド）１８とを有する。この装着ヘッドはトルクを伝達するためのものであり、通常の工具により係合できるよう、例えば図１に示すように六角ボルトとして、または他の幾何形状に構成されている。外側スリーブ１７には、相互に対向する一対の係止切欠部１９、２０、２１、２２が形成されている。これらの係止切欠部は相互に対をなして、同一平面（面一）で外側スリーブ１７を通って伸長しており、それぞれ係止ホック１１、１２、１３、１４により係合されるよう構成されている。
【００１６】
さらに図１から外側部材２には一方では、周方向に寸法どおりに各縁部ブロック９、１０を収容するための縁部ブロック収容部２３、２４と、各内側体７、８を収容するための内側体収容部２５、２６と、半径方向かつ周方向に寸法どおりに弾性アーム１５、１６を収容するための弾性アーム収容部２７、２８が構成されていることが分かる。
【００１７】
図２は、図１の実施例を縦断面で示す図である。ここでの断面は弾性アーム１５、１６の中央を示す。図２から弾性アーム１５、１６がそれぞれ、弾性アームの他の領域よりも材料厚が小さく、載置皿３の近傍にあるバネ部分２９によって、半径方向に弾性（可撓性）に構成されていることが分かる。各弾性アーム１５、１６は係止手段として係止ノーズ３０、３１を有する。これらの係止ノーズは半径方向で内側へ、内側体７、８と弾性アーム１５、１６により包囲されたスタッドボルト収容空間３２に突入（突出）している。図示しない実施例では各弾性アーム１５、１６は係止手段として２つ以上の係止ノーズ３０、３１を有する。
【００１８】
さらに図２から、図１と図２に示された取付（組付）け前の配置構成で内側部材１と外側部材２とは、軸方向に相互に間隔をおいて配置されていることが分かる。例えば内側部材１と外側部材２とは、図１と図２に図示しない少なくとも１つの接続部を介して相互に接続するか、または２つの個別の部材として予組付けすることができる。この接続部は押込力に対して比較的抵抗が小さいものとする。縁部ブロック収容部２３、２４、内側体収容部２５、２６、および弾性アーム収容部２７、２８は、図１と図２の実施例では長手方向に完全に外側部材２を通って伸長している。これにより外側部材２は、接続部が場合により破壊された後、長手方向に内側部材１に対して、外側部材２が載置皿３に当接するまでスライド可能となる。
【００１９】
図３は、弾性アーム１５、１６のある面での縦断面において、図１と図２の実施例に示し、最終取付け配置構成において、支持部材３４に固定されたスタッドボルト３３と係合している。図３から、例えばスタッドボルト３３が貫通する支持部材３４に取付け部材３５を固定するために、半径方向に装着ヘッド（Aufsatzkopf）１８より突き出ている外側スリーブ１７に端面側が当接する押込・回転工具によって、図１と図２に示した取付け前の配置構成で内側部材１が押し込まれる場合、係止ノーズ３０、３１がスタッドボルト３３と接触して、スタッドボルト３３に形成された外ねじ構造３６が（係止ノーズ３０，３１を）乗り越え、その際弾性アーム１５、１６が外に向かって弾性的に変形し、最終的に載置皿３が最終的に取付け部材３５に当接することが分かる。このときに予圧舌片５、６は、所定の予圧力により、係止ノーズ３０、３１が外ねじ構造３６を後方から把持する位置に内側部材１を保持することによって高さ調整を行う。
【００２０】
本発明の係合ユニットのこの押し込まれた配置構成では、外側部材２が図１と図２に示した取付け前の配置構成から出発して内側部材１に長手方向で、外側スリーブ１７が載置皿３に当接するまで押し込まれる。最終取付け配置構成では、図３に示すように、半径方向で外側を指す弾性アーム収容部２７、２８の壁に当接し、半径方向外方に変位しないように確保することによって、また周方向に関し弾性アーム１、１６の横（周方向側部）にある弾性アーム収容部２７、２８の端部に当接することによって、弾性アーム１５、１６が確保される。これにより係止ノーズ３０、３１が外ねじ構造３６と確実に係合し、大きな引っ張り力を保証する。
【００２１】
図４は、図１から図３の本発明の係合ユニットの実施例が図３の最終取付け配置構成にある様子を、縁部ブロック９を縦断面にして斜視図に示す。ここでの断面は、縁部ブロック９の半径方向外方を指す平坦面と平行であり、この縁部ブロック９と載置皿３との間に配置された係止ホック（爪部）１１、１２を通っている。図４から分かるように、係止ホック１１、１２は外から例えば長手の物体によってアクセスすることができる。これにより相応の力が係止ホック１１、１２に及ぼされると、係止ホック１１、１２、１３、１４と係止切欠部１９、２０、２１、２２との係合が解除され、載置皿３から離れる運動によって外側部材２を内側部材１から再び引き抜くことができる。
【００２２】
さらに図４から、縁部ブロック９、１０は周方向で外側にあるその両平坦面により、縁部ブロック収容部２３、２４の対向する平坦面に当接していることが分かる。これにより例えば工具の装着によりトルクが装着ヘッド１８に及ぼされると、縁部ブロック９、１０と外側部材２との係合を介してトルクが内側部材１に伝達され、本発明の係合ユニットをネジのように締めることができ、これにより取付け部材３５が、ある程度の押し付け力によって支持部材３４に固定される。さらに外ねじ構造３６のネジ方向に対して反対方向のトルクが及ぼされると、本発明の係合ユニットはナットのように保守時にねじ解除（ねじ外し）されることができ、これにより取付け部材３５を支持部材３４から取り外すことができる。適切には、このようにして外側部材２を上に述べたように内側部材１から除去すれば、本発明の係合ユニットを所定のように再使用することができる。
【符号の説明】
【００２３】
１  内側部材
２  外側部材
５，６  予圧手段（Vorspannungsmittel）、予圧舌片
９，１０  縁部ブロック
９，１０，２３，２４  トルク吸収部材
１１〜１４：１９〜２２  係止機構
１１〜１４  係止爪部（ホック）
１５，１６  弾性アーム（Federarm）
１９〜２２  係止切欠部
２３，２４  縁部ブロック収容部
１７  外側スリーブ
２７，２８  弾性アーム収容部
３０，３１  係止手段
３３  スタッドボルト（ねじ付ボルト、Gewindebolzen）
【国際調査報告】
2011509382.tif 000007
2011509382.tif 000008
2011509382.tif 000009
2011509382.tif 000010